(57)【要約】【課題】高いエネルギー効率で熱供給が可能であり、エネルギー損失を低減できる空調システムを提供する。【解決手段】ヒートポンプ２０Ａと、ボイラー３０と、を備えた空調システム１Ａである。この空調システム１Ａは、ヒートポンプ２０Ａの運転状態を検出する圧縮機回転数検出装置５０と、圧縮機回転数検出装置５０により検出された運転状態を示す圧縮機回転数に応じて、ボイラー３０の運転の開始および停止を制御する制御装置４０と、を備えている。【選択図】図１
2017211130.tif 000002
【特許請求の範囲】
【請求項１】
ヒートポンプと、ボイラーと、を備えた空調システムであって、
ヒートポンプの運転状態を検出する運転状態検出装置と、
前記運転状態検出装置により検出された運転状態に応じて、ボイラーの運転の開始および停止を制御する制御装置と、を備えた、
ことを特徴とする空調システム。
【請求項２】
請求項１に記載の空調システムであって、
前記制御装置は、
前記ボイラーが停止状態である場合に、前記運転状態検出装置により検出された運転状態の検出値が第１閾値以上となった場合は前記ボイラーの運転を開始し、
前記ボイラーが運転状態である場合に、前記検出値が第２閾値以下となった場合は前記ボイラーを停止させる、
ことを特徴とする空調システム。
【請求項３】
請求項２に記載の空調システムであって、
前記ヒートポンプは圧縮機および該圧縮機を駆動させる駆動装置を有し、
前記運転状態検出装置は、前記駆動装置の回転数である圧縮機回転数を前記検出値として検出して前記制御装置に出力する圧縮機回転数検出装置である、
ことを特徴とする空調システム。
【請求項４】
請求項２に記載の空調システムであって、
前記ヒートポンプは圧縮機および該圧縮機を駆動させる電気式の駆動装置を有し、
前記運転状態検出装置は、前記駆動装置の運転電流を前記検出値として検出して前記制御装置に出力する運転電流検出装置である、
ことを特徴とする空調システム。
【発明の詳細な説明】
【技術分野】
【０００１】
本発明は、ボイラーおよびヒートポンプを備えた空調システムに関する。
【背景技術】
【０００２】
従来、ビルや公共施設等の内部の温度等を調整するための空調システムとして、さまざまな発明が提案されている。このような空調システムに関する発明においては、エネルギー損失を低減させることを目的とするものもある。例えば、特許文献１には、ボイラー、蒸気吸収式冷水機、および温水吸収式冷水機等、複数のエネルギー供給機器を備え、一日のエネルギー消費の時間的変動パターンを予測して、その予測に基づいて消費エネルギーが最小となるように、各エネルギー供給機器の起動停止のタイミング、あるいは各エネルギー供給機器の負荷配分を制御することで、負荷変動によるエネルギーの損失を低減する空調システムが開示されている。
【先行技術文献】
【特許文献】
【０００３】
【特許文献１】特開２００１−６５９５９号公報
【発明の概要】
【発明が解決しようとする課題】
【０００４】
しかし、特許文献１に記載の空調システムは、予め収集したデータに基づいて一日のエネルギー消費パターンを予測してその予測に基づいて各エネルギー供給機器の起動停止のタイミング等を制御するものである。つまり、実際のエネルギー消費状況に合わせて各エネルギー供給機器を制御するものでないことから、予測とのずれが生じると、その分エネルギー損失が増大することとなるとの問題がある。また、予測との間にずれが生じた場合には修正処理がなされることは特許文献１には記載されているが、少なくとも修正がなされるまでの間にはエネルギー損失が増大することとなる。また、修正処理がなされた後もずれが生じる可能性があり、修正処理がなされる回数が増えれば、増えるほどエネルギー損失は増大していく。
【０００５】
また、特許文献１には、ボイラーにより主な熱供給を行うことが記載されているが、ボイラーは化石燃料を燃焼させることにより熱を供給するものであり、エネルギー効率が高いとはいいがたい。
【０００６】
本発明は、上述の事情に鑑みてなされた発明であり、その目的は、高いエネルギー効率で熱供給が可能であり、エネルギー損失を低減できる空調システムを提供することである。
【課題を解決するための手段】
【０００７】
本発明の一態様に係る空調システムは、ヒートポンプと、ボイラーと、を備えた空調システムであって、ヒートポンプの運転状態を検出する運転状態検出装置と、前記運転状態検出装置により検出された運転状態に応じて、ボイラーの運転の開始および停止を制御する制御装置と、を備えた、ことを特徴とする。
【０００８】
これにより、普段はヒートポンプにより熱供給を行うことにより、高いエネルギー効率を実現し、ヒートポンプの運転状態に応じてボイラーの運転も行うことから、熱供給量が不足する可能性も低く、エネルギー損失も低減できる。
【０００９】
また、上記空調システムにおいて、前記制御装置は、前記ボイラーが停止状態である場合に、前記運転状態検出装置により検出された運転状態の検出値が第１閾値以上となった場合は前記ボイラーの運転を開始し、前記ボイラーが運転状態である場合に、前記検出値が第２閾値以下となった場合は前記ボイラーを停止させることとしてもよい。
【００１０】
これにより、運転状態の検出値が第１閾値以上となった場合にはボイラーの運転を開始し、運転状態の検出値が第２閾値以下となった場合はボイラーを停止させることから、効率よく熱供給を行うことができ、エネルギー損失を低減できる。また、熱供給量が不足する可能性が低く、かつ、高いエネルギー効率で熱供給が可能である。
【００１１】
また、上記空調システムにおいて、前記ヒートポンプは圧縮機および該圧縮機を駆動させる駆動装置を有し、前記運転状態検出装置は、前記駆動装置の回転数である圧縮機回転数を前記検出値として検出して前記制御装置に出力する圧縮機回転数検出装置であることとしてもよい。
【００１２】
これにより、圧縮機回転数を検出値として、この検出値に応じてボイラーの運転の開始および停止を制御することから、ヒートポンプの運転状態を的確に判断して、それに応じてボイラーの運転の開始および停止を制御することができ、よりエネルギー損失が低く、高いエネルギー効率で熱供給が可能となる。また、熱供給量が不足する可能性も低い。
【００１３】
また、上記空調システムにおいて、前記ヒートポンプは圧縮機および該圧縮機を駆動させる電気式の駆動装置を有し、前記運転状態検出装置は、前記駆動装置の運転電流を前記検出値として検出して前記制御装置に出力する運転電流検出装置であることとしてもよい。
【００１４】
これにより、運転電流を検出値として、この検出値に応じてボイラーの運転の開始および停止を制御することから、ヒートポンプの運転状態を的確に判断して、それに応じてボイラーの運転の開始および停止を制御することができ、よりエネルギー損失が低く、高いエネルギー効率で熱供給が可能となる。また、熱供給量が不足する可能性も低い。また、運転電流は簡単な構成により検出できることから、容易に実現することができる。
【発明の効果】
【００１５】
本発明によると、高いエネルギー効率で熱供給が可能であり、エネルギー損失を低減できる空調システムを提供することができる。
【図面の簡単な説明】
【００１６】
【図１】本発明の実施形態１に係る空調システムの概略構成図である。
【図２】本発明の実施形態１に係る空調システムにおけるボイラーの運転制御を示すフローチャートである。
【図３】本発明の実施形態２に係る空調システムの概略構成図である。
【図４】本発明の実施形態２に係る空調システムにおけるボイラーの運転制御を示すフローチャートである。
【発明を実施するための形態】
【００１７】
本発明に係る空調システムは、ヒートポンプおよびボイラーを備えており、ヒートポンプの運転状態に応じて、ボイラーを制御するものである。より具体的には、ヒートポンプの負荷が所定の第１負荷以上となった場合にはボイラーを運転し、ヒートポンプの負荷が第１負荷よりも小さい第２負荷以下となった場合にはボイラーを停止する。これにより、エネルギー効率の高いヒートポンプを用いて熱供給を行い、ヒートポンプの能力の限界となる前にボイラーを併用して熱供給を行うことができ、熱供給量が不足することもない。また、ヒートポンプの運転状態に応じて、ボイラーの運転を制御することから、エネルギー損失も低い。
【００１８】
以下、本発明に係る実施の形態について図面を参照しながら説明する。なお、各図において同一の符号を付した構成は、同一の構成であることを示し、その説明を省略する。
（実施形態１）
本発明の実施形態１に係る空調システムについて図面を参照しながら説明する。
【００１９】
まず、図１を参照しながら、本実施形態１に係る空調システムの構成について説明する。図１は、本発明の実施形態１に係る空調システムの概略構成図である。
【００２０】
図１に示すように、実施形態１に係る空調システム１Ａは、ヒートポンプ２０Ａと、ボイラー３０と、制御装置４０と、圧縮機回転数検出装置５０とを備えている。ヒートポンプ２０Ａおよびボイラー３０が共に同じ空調空間の温度調整に用いられ、ヒートポンプ２０Ａの運転中にボイラー３０の運転・停止が行われる構成である。空調空間としては、例えばビニールハウス内等が挙げられる。また、これに限定されず、空調システム１Ａは、ビルや公共施設等、さまざまな建造物内等の空調に用いることができる。
【００２１】
ヒートポンプ２０Ａの駆動形態は特に限定されるわけではなく、例えば、電気、ガス燃料、石油等、いずれを用いて駆動する形態でも構わない。ただし、例えば、空調システム１Ａをコージェネレーション装置（ＣＨＰ）と組み合わせて使用する場合は、コージェネレーション装置の発電電力を動力源とする電気駆動ヒートポンプ（ＥＨＰ）を用いることが好ましい。
【００２２】
ヒートポンプ２０Ａは、圧縮器２１、四方弁２２、熱交換器（凝縮器）２３、膨張弁２４、蒸発器２５および駆動装置２６Ａを備えている。本実施形態１では、凝縮器である熱交換器２３が空調空間に配置されている。本実施形態１では、ヒートポンプ２０Ａにて加熱運転サイクルを実行するため、冷媒の流れ方向は、圧縮器２１、四方弁２２、熱交換器（凝縮器）２３、膨張弁２４、蒸発器２５、四方弁２２、圧縮器２１となる。
【００２３】
ヒートポンプ２０Ａにおいて、駆動装置２６Ａはコンプレッサである圧縮器２１を動作させるためのものである。駆動装置２６Ａは、例えばガス、石油等により回転駆動するエンジンまたは電気により回転駆動する電気モータである。なお、駆動装置２６Ａが電気モータである場合は、図示していないが電力を供給するための電源と、駆動装置２６Ａとが接続されている。
【００２４】
ヒートポンプ２０Ａにおいて、圧縮器２１が動作することにより冷媒が圧縮されてガスとなり、圧縮された冷媒は熱交換器（凝縮器）２３に送られる。熱交換器（凝縮器）２３において冷媒は熱を放出して液体となり、さらに膨張弁２４により減圧されることで急激に膨張されて蒸発器２５へと送られる。蒸発器２５において冷媒は熱を吸収して蒸発し、圧縮器２１へと送られる。
【００２５】
ボイラー３０は空調空間に配置されている。ボイラー３０の燃料は特に限定されるわけではなく、いずれの燃料を燃焼する形態であっても問題はない。
【００２６】
圧縮機回転数検出装置５０は、駆動装置２６Ａの回転数である圧縮機回転数を検出するセンサである。なお、回転数とは単位時間当たりの回転数を指し、例えば単位は（ｒｐｍ）である。上述したように駆動装置２６Ａは回転駆動するものであり、駆動装置２６Ａの動力により圧縮器２１が動作する。圧縮機回転数検出装置５０は、この駆動装置２６Ａの回転駆動における圧縮機回転数を検出するセンサである。ここで、圧縮機回転数検出装置５０により検出される圧縮機回転数はヒートポンプ２０Ａの運転状態を示すものであり、圧縮機回転数を検出することによりヒートポンプ２０Ａの運転負荷を検出することができるといえる。圧縮機回転数検出装置５０は検出した圧縮機回転数（検出値）を検出信号として制御装置４０に出力する。
【００２７】
制御装置４０は、ボイラー３０の運転の開始と停止とを制御するものであり、圧縮機回転数検出装置５０からの検出信号に応じて、ボイラー３０の運転の開始および停止を判断する。つまり、制御装置４０はヒートポンプ２０Ａの運転状態を監視しており、運転状態に応じてボイラー３０の運転状態を制御している。より具体的には、ヒートポンプ２０Ａが運転されている状態において、圧縮機回転数検出装置５０により検出された圧縮機回転数が第１回転数閾値Ｎａ以上となった場合にボイラー３０が運転されていなければ、制御装置４０がボイラー３０の運転を開始する。また、ヒートポンプ２０Ａが運転されている状態において、圧縮機回転数検出装置５０により検出された圧縮機回転数が第２回転数閾値Ｎｂ以下となった場合にボイラー３０が運転されていれば、制御装置４０がボイラー３０の運転を停止する。
【００２８】
ここで、第１回転数閾値Ｎａは第２回転数閾値Ｎｂよりも大きい値であり、第１回転数閾値Ｎａは駆動装置２６Ａの最大回転数よりも少し小さい値とすればよい。これにより、本実施形態１では、ヒートポンプ２０Ａにより熱を供給している状態で、ヒートポンプ２０Ａの負荷が大きくなりすぎない場合、すなわちヒートポンプ２０Ａの限界まで余裕がある場合は、ヒートポンプ２０Ａのみにより熱供給を行う。そして、ヒートポンプ２０Ａの負荷が大きくなりすぎた場合、すなわちヒートポンプ２０Ａの限界が近い場合には、ボイラー３０を運転し始めて並行して熱供給を行う。このように、普段はヒートポンプ２０Ａにより高いエネルギー効率で熱供給を行い、ヒートポンプ２０Ａの負荷が大きくなりすぎた場合にはボイラー３０も併用して熱供給を行うことから、状況に応じて好ましい熱供給を行うことができるうえ、エネルギー損失を低減することもできる。
【００２９】
次に、図２を参照しながら、本実施形態１に係る空調システムにおけるボイラーの動作について説明する。図２は、本発明の実施形態１に係る空調システムにおけるボイラーの運転制御を示すフローチャートである。
【００３０】
空調システム１Ａを起動した際は、ヒートポンプ２０Ａのみの運転を開始し、ボイラー３０については運転を開始しない。この状態で、圧縮機回転数検出装置５０は駆動装置２６Ａにおける圧縮機回転数を検出し、検出信号を随時、制御装置４０に出力している。制御装置４０は、圧縮機回転数検出装置５０からの検出信号に基づいて、圧縮機回転数が第１回転数閾値Ｎａ以上か否かを判断する（ステップＳ１１）。なお、本実施形態１においては第１回転数閾値Ｎａを駆動装置２６Ａの最大回転数の９０％とする。例えば、駆動装置２６Ａの最大回転数が６０００（ｒｐｍ）であれば、第１回転数閾値Ｎａは５４００（ｒｐｍ）となる。なお、第１回転数閾値Ｎａの値はこの値に限定されるわけではなく、空調システム１Ａが効率よく動作するような値に適宜設定すればよい。
【００３１】
制御装置４０は、圧縮機回転数が第１回転数閾値Ｎａ以上であると判断した場合には（ステップＳ１１：Ｙｅｓ）、ボイラー３０の運転を開始する（ステップＳ１２）。
【００３２】
ヒートポンプ２０Ａと並行してボイラー３０の運転を開始した状態において、制御装置４０は、圧縮機回転数検出装置５０からの検出信号に基づいて、圧縮機回転数が第２回転数閾値Ｎｂ以下か否かを判断する（ステップＳ１３）。なお、本実施形態１においては第２回転数閾値Ｎｂを駆動装置２６Ａの最大回転数の８０％とする。例えば、駆動装置２６Ａの最大回転数が６０００（ｒｐｍ）であれば、第２回転数閾値Ｎｂは４８００（ｒｐｍ）となる。なお、第２回転数閾値Ｎｂの値はこの値に限定されるわけではなく、空調システム１Ａが効率よく動作するような値に適宜設定すればよい。
【００３３】
制御装置４０は、圧縮機回転数が第２回転数閾値Ｎｂ以下であると判断した場合には（ステップＳ１３：Ｙｅｓ）、ボイラー３０の運転を停止する（ステップＳ１４）。
【００３４】
以上、本実施形態１によれば、ヒートポンプ２０Ａを運転している状態において、ヒートポンプ２０Ａにおける圧縮機回転数の値に応じてボイラー３０の運転を開始するか、停止するかを判断する。つまり、ヒートポンプ２０Ａの運転状態に応じて、ボイラー３０の運転を制御する。これにより、ヒートポンプ２０Ａにより高いエネルギー効率により熱供給を行うことができ、ヒートポンプ２０Ａの運転状態を的確に判断してボイラー３０の運転の開始および停止を制御することにより、熱供給量が不足する可能性も低く、かつ、エネルギー損失を低減することもできる。
【００３５】
（実施形態２）
本発明の実施形態２に係る空調システムについて図面を参照しながら説明する。
【００３６】
まず、図３を参照しながら、本実施形態２に係る空調システムの構成について説明する。図３は、本発明の実施形態２に係る空調システムの概略構成図である。
【００３７】
図３に示す実施形態２に係る空調システム１Ｂのヒートポンプ２０Ｂには、実施形態１に係る空調システム１Ａのヒートポンプ２０Ａに含まれている構成と同一の構成が用いられている。上述したように、同一の構成については同一の符号を付し、説明を省略する。以下では、空調システム１Ｂについて、空調システム１Ａとは異なる構成を中心に説明する。
【００３８】
なお、図３に示すように、実施形態２に係る空調システム１Ｂは、ヒートポンプ２０Ｂと、ボイラー３０と、制御装置４０と、運転電流検出装置６０と、電源７０とを備えている。ヒートポンプ２０Ｂおよびボイラー３０が共に同じ空調空間の温度調整に用いられ、ヒートポンプ２０Ｂの運転中にボイラー３０の運転・停止が行われる構成である。空調空間としては、例えばビニールハウス内等が挙げられる。また、これに限定されず、空調システム１Ｂは、ビルや公共施設等、さまざまな建造物内等の空調に用いることができる。
【００３９】
図３に示す実施形態２に係る空調システム１Ｂのヒートポンプ２０Ｂは、実施形態１に係る空調システム１Ａのヒートポンプ２０Ａとは異なり、電気で駆動される電気式のヒートポンプに限定される。したがって、駆動装置２６Ｂは、駆動装置２６Ａとは異なり電気モータが用いられ、エンジンが用いられることはない。なお、駆動装置２６Ｂには電源７０から電力が供給されている。ただし、駆動装置２６Ｂは電気により駆動するものに限定されるだけで、その他の点では駆動装置２６Ａと同様であり、動作も駆動装置２６Ａと同様であることから、詳しい説明は省略する。
【００４０】
また、図３に示す実施形態２に係る空調システム１Ｂにおいて、空調システム１Ａと異なり、圧縮機回転数検出装置５０の代わりに運転電流検出装置６０が設けられている。運転電流検出装置６０は、電源７０から駆動装置２６Ｂに供給される運転電流を検出するセンサである。ここで、運転電流検出装置６０により検出される運転電流はヒートポンプ２０Ｂの運転状態を示すものであり、運転電流を検出することによりヒートポンプ２０Ｂの運転負荷を検出することができるといえる。運転電流検出装置６０は検出した運転電流（検出値）を検出信号として制御装置４０に出力する。
【００４１】
制御装置４０は、ボイラー３０の運転の開始と停止とを制御するものであり、運転電流検出装置６０からの検出信号に応じて、ボイラー３０の運転の開始および停止を判断する。つまり、制御装置４０はヒートポンプ２０Ｂの運転状態を監視しており、運転状態に応じてボイラー３０の運転状態を制御している。より具体的には、ヒートポンプ２０Ｂが運転されている状態において、運転電流検出装置６０により検出された運転電流が第１電流閾値Ｉａ以上となった場合にボイラー３０が運転されていなければ、制御装置４０がボイラー３０の運転を開始する。また、ヒートポンプ２０Ｂが運転されている状態において、運転電流検出装置６０により検出された運転電流が第２電流閾値Ｉｂ以下となった場合にボイラー３０が運転されていれば、制御装置４０がボイラー３０の運転を停止する。
【００４２】
ここで、第１電流閾値Ｉａは第２電流閾値Ｉｂよりも大きい値であり、第１電流閾値Ｉａは駆動装置２６Ｂの運転電流の最大電流よりも少し小さい値とすればよい。これにより、本実施形態２では、ヒートポンプ２０Ｂにより熱を供給している状態で、ヒートポンプ２０Ｂの負荷が大きくなりすぎない場合、すなわちヒートポンプ２０Ｂの限界まで余裕がある場合は、ヒートポンプ２０Ｂのみにより熱供給を行う。そして、ヒートポンプ２０Ｂの負荷が大きくなりすぎた場合、すなわちヒートポンプ２０Ｂの限界が近い場合には、ボイラー３０を運転し始めて並行して熱供給を行う。このように、普段はヒートポンプ２０Ｂにより高いエネルギー効率で熱供給を行い、ヒートポンプ２０Ｂの負荷が大きくなりすぎた場合にはボイラー３０も併用して熱供給を行うことから、状況に応じて好ましい熱供給を行うことができるうえ、エネルギー損失を低減することもできる。
【００４３】
次に、図４を参照しながら、本実施形態２に係る空調システムにおけるボイラーの動作について説明する。図２は、本発明の実施形態２に係る空調システムにおけるボイラーの運転制御を示すフローチャートである。
【００４４】
空調システム１Ｂを起動した際は、ヒートポンプ２０Ｂのみの運転を開始し、ボイラー３０については運転を開始しない。この状態で、運転電流検出装置６０は駆動装置２６Ｂに供給される運転電流を検出し、検出信号を随時、制御装置４０に出力している。制御装置４０は、運転電流検出装置６０からの検出信号に基づいて、運転電流が第１電流閾値Ｉａ以上か否かを判断する（ステップＳ２１）。なお、本実施形態２においては第１電流閾値Ｉａを駆動装置２６Ｂに供給される運転電流の最大電流の９０％とする。例えば、駆動装置２６Ｂに供給される運転電流の最大電流が１５（Ａ）であれば、第１電流閾値Ｉａは１３．５（Ａ）となる。なお、第１電流閾値Ｉａの値はこの値に限定されるわけではなく、空調システム１Ｂが効率よく動作するような値に適宜設定すればよい。
【００４５】
制御装置４０は、運転電流が第１電流閾値Ｉａ以上であると判断した場合には（ステップＳ２１：Ｙｅｓ）、ボイラー３０の運転を開始する（ステップＳ２２）。
【００４６】
ヒートポンプ２０Ｂと並行してボイラー３０の運転を開始した状態において、制御装置４０は、運転電流検出装置６０からの検出信号に基づいて、運転電流が第２電流閾値Ｉｂ以下か否かを判断する（ステップＳ２３）。なお、本実施形態２においては第２電流閾値Ｉｂを駆動装置２６Ｂに供給される運転電流の最大電流の８０％とする。例えば、駆動装置２６Ｂに供給される運転電流の最大電流が１５（Ａ）であれば、第２電流閾値Ｉｂは１２（Ａ）となる。なお、第２電流閾値Ｉｂの値はこの値に限定されるわけではなく、空調システム１Ｂが効率よく動作するような値に適宜設定すればよい。
【００４７】
制御装置４０は、運転電流が第２電流閾値Ｉｂ以下であると判断した場合には（ステップＳ２３：Ｙｅｓ）、ボイラー３０の運転を停止する（ステップＳ２４）。
【００４８】
以上、本実施形態２によれば、ヒートポンプ２０Ｂを運転している状態において、ヒートポンプ２０Ｂにおける運転電流の値に応じてボイラー３０の運転を開始するか、停止するかを判断する。つまり、ヒートポンプ２０Ｂの運転状態に応じて、ボイラー３０の運転を制御する。これにより、ヒートポンプ２０Ｂにより高いエネルギー効率により熱供給を行うことができ、ヒートポンプ２０Ｂの運転状態を的確に判断してボイラー３０の運転の開始および停止を制御することにより、熱供給量が不足する可能性も低く、かつ、エネルギー損失を低減することもできる。また、運転電流は簡単な構成により検出できることから、容易に実現することができる。
【００４９】
以上、本実施形態１に係る空調システム１Ａおよび本実施形態２に係る空調システム１Ｂについて説明したが、本発明はこれら実施形態に限定されるわけではない。例えば、駆動装置の運転電圧等、圧縮機回転数および運転電流以外の値により、ヒートポンプの運転状態を検出することとしてもよい。また、本実施形態１、２では、２つの閾値に基づいてボイラー３０の運転開始および停止を制御したがもっと多くの数の閾値に基づいてボイラー３０の運転開始および停止の制御を行ってもよい。また、１つの閾値に基づいてボイラー３０の運転開始および停止の制御をしてもよい。
【００５０】
本発明によれば、ヒートポンプを運転し、ヒートポンプの運転状態に応じてボイラーの運転の開始および停止を制御することから、高いエネルギー効率による熱供給を行えるうえ、熱供給量が不足する等の不具合が生じにくい、また、エネルギー損失を低減することもできる。
【００５１】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【符号の説明】
【００５２】
１Ａ、１Ｂ      空調システム
２０Ａ、２０Ｂ  ヒートポンプ
２１            圧縮器
２２            四方弁
２３            熱交換器（凝縮器）
２４            膨張弁
２５            蒸発器
２６Ａ、２６Ｂ  駆動装置
３０            ボイラー
４０            制御装置
５０            圧縮機回転数検出装置
６０            運転電流検出装置
７０            電源
【図１】
2017211130.tif 000003
【図２】
2017211130.tif 000004
【図３】
2017211130.tif 000005
【図４】
2017211130.tif 000006